(57)【要約】      （修正有）【課題】センサや自動弁などを使用することなく確実に濾過装置で濾過された燃料油を主機関や発電機関に供給し、且つ容易で安価に設置することのできる燃料油供給方法とその装置を提供する。【解決手段】船舶の船体内に設けた燃料油を貯蔵するストレージタンク６と、燃料油中に含まれる水分やスラッジ等を沈降分離させるセットリングタンク７と、エンジンに供給される燃料油を保持するサービスタンク２とを備えた舶用燃料供給装置において、前記サービスタンク２と連通する緩衝タンク１を設け、この緩衝タンク１にセットリングタンク７の燃料油ｆ２を供給すると共にサービスタンク２の燃料油ｆ４を供給し、前記緩衝タンク１に供給された燃料油ｆ２と燃料油ｆ４とが混合した燃料油ｆ２，ｆ４の中間層を抜き出してその燃料油ｆ２，ｆ４を濾過装置３で濾過し、濾過された燃料油をサービスタンク２に供給する。【選択図】図１
2009241903.tif 000002
【特許請求の範囲】
【請求項１】
船舶の船体内に設けた燃料油を貯蔵するストレージタンクと、燃料油中に含まれる水分やスラッジ等を沈降分離させるセットリングタンクと、エンジンに供給される燃料油を保持するサービスタンクとを備えた舶用燃料供給装置において、
前記セットリングタンクとサービスタンクとにそれぞれ連通する緩衝タンクを設け、この緩衝タンクにセットリングタンクの燃料油を供給すると共にサービスタンクの燃料油を供給し、
前記セットリングタンクより緩衝タンクに供給された燃料油と、前記サービスタンクより緩衝タンクに供給された燃料油とが混合した中間層の燃料油を、前記緩衝タンクから抜き出してその燃料油を濾過装置で濾過し、この濾過装置で濾過された燃料油をサービスタンクに供給することを特徴とする舶用燃料油供給装置における燃料油供給方法。
【請求項２】
遠心分離式清浄機より緩衝タンクに供給される燃料油の流量を、緩衝タンクから濾過装置に供給される燃料油の流量よりも少なくし、
緩衝タンク内の、清浄機から供給された燃料油とサービスタンクから供給された燃料油を濾過装置で濾過してサービスタンクへ供給することを特徴とする請求項１記載の舶用燃料油供給装置における燃料油供給方法。
【請求項３】
船舶の船体内に設けた燃料油を貯蔵するストレージタンクと、このストレージタンクの燃料油に含まれる水分やスラッジ等を沈降分離させるセットリングタンクと、このセットリングタンクにより水分やスラッジ等が沈降分離された燃料油をさらに遠心分離して清浄化させる遠心分離式清浄機とを備え、この遠心分離式清浄機により清浄化された燃料油は、燃料油調整手段を介してエンジンに供給されており、
前記燃料油調整手段は、遠心分離式清浄機により清浄化された燃料油を受け入れる緩衝タンクと、この緩衝タンクに供給された燃料油を濾過する濾過装置と、この濾過装置で濾過された燃料油を保持するサービスタンクとを有し、前記緩衝タンクは前記サービスタンクと連通していることを特徴とする舶用燃料油供給装置。
【発明の詳細な説明】
【技術分野】
【０００１】
本発明は、舶用燃料のＣ重油に含まれているＦＣＣ触媒などの粒子状不純物を除去し、その粒子状不純物を除去したＣ重油をエンジンに供給する舶用燃料供給装置に関する。
【背景技術】
【０００２】
タンカーなどの大型船舶の機関としては、大型低速機関が使用されており、その機関の舶用燃料油として一般にＣ重油を用いている。このＣ重油は、原油を加熱炉で加熱して常圧蒸留装置によりガスやガソリン、灯油や軽油などの軽質留分を精製した後に残る常圧蒸留残渣油に軽油を混合させて所定の粘度にしたものである。
【０００３】
近年の原油高騰、ガスやガソリン、軽油などの軽質油の需要の増大、そして、前記常圧蒸留装置によって精製されたガスやガソリン等の軽質油と、精製後に残る常圧蒸留残渣油との比率はほぼ同等であることから、この常圧蒸留残渣油を加熱して分解させて軽質油を取り出すことが行われている。
【０００４】
前記常圧蒸留残渣油から軽質油を取り出す方法としては、流動接触分解法（Fluid Catalytic Cracking）と熱分解法（ビスブレーキング）とを一連に行うことが一般的に行われている。
【０００５】
前記流動接触分解法（ＦＣＣ法）は、常圧蒸残渣油を加熱炉で加熱して減圧蒸留装置によりガス分と重質軽油と重質残渣とに分留し、分留された重質軽油を流動接触分解装置内で触媒と流動接触させる方法である。この方法により、ガスやガソリンや軽油といった軽質油と、残渣油（スラリー油）とに常圧蒸残渣油が分解される。
【０００６】
また、熱分解法（ビスブレーキング）は、ＦＣＣ法における減圧蒸留装置により分留された後に残ったスラリー油を熱分解装置（ビスブレーカー）により数百℃に加熱する方法であり、重質残渣は軽灯油と重質油とに分解される。
【０００７】
重油を蒸留装置で分留して精製された軽質油は直留燃料油と呼ばれ、蒸留残渣油を分解装置で分解させて得られた軽質油は分解燃料油と呼ばれている。直留燃料油は精製工程が上流側であり、分解燃料油は精製工程が下流側となるので、下流側の分解燃料油は硫黄分や残炭分などの不純物が相対的に濃縮されることから、上流側の直留油よりも不純物が多い。
【０００８】
分解燃料油は直留燃料油よりも安価であることから、前記蒸留法と分解法（ＦＣＣ法とビスブレーキング）とによって軽質油が留去された重質残渣油に、軽油を添加・混合して安価なＣ重油を調整することが行われている。即ち、ＦＣＣ法により得られた安価な軽質油を、ビスブレーカー法により得られた重質残渣油に混合してＣ重油が製造されている。
【０００９】
このようにして製造されたＣ重油は、ＦＣＣ油と呼ばれ、このＦＣＣ油は、ＦＣＣ法に使用されている触媒が混入している。ＦＣＣ法に使用されている触媒としては、例えば、シリカ・アルミナ・カオリン粘土などを原料とした４０〜８０μｍに造粒された固体酸触媒が知られている。
【００１０】
流動接触分解法で用いられている流動接触分解触媒（ＦＣＣ触媒）は、ＦＣＣ触媒上に吸着したカーボン分を燃焼除去させて触媒活性を再生し、繰り返して使用するので、高い機械強度と耐熱性とを備えている。
【００１１】
また、ＦＣＣ触媒は、その粒子径が製造時には平均６０μｍ程度であるが、ＦＣＣ装置で繰り返し使用されているうちに粒子径が３〜１５μｍ程度の小径となる。また、ＦＣＣ触媒はアルミナやシリカを含むことから硬度が高い。
【００１２】
このように粒径が小さく機械強度が高いＦＣＣ触媒が混入しているＦＣＣ油を舶用燃料油として使用すると、ＦＣＣ触媒がエンジンピストンとシリンダとの十数μｍの間隙に侵入し、ＦＣＣ触媒の極めて高い機械強度と硬度という特性によって、恰も研磨剤のように作用して前記ピストンやシリンダを異常摩耗させたり、燃料噴射ポンプやプランジャを異常摩耗させたりし、シリンダのスティックスリップ（ビビリ現象）やブローバイガスの漏出などといった問題が生ずることがあった。
【００１３】
一方、Ｃ重油中に含まれている水分や硫黄分、炭素性固形物などの不純物を除去することを目的として、一般に図７に示すような燃料油供給装置が使用されている。この燃料油供給装置は、船体底部の二重底を利用した船体付燃料タンク５１（ストレージタンク）に燃料油７０（Ｃ重油）を貯蔵するようになっており、ストレージタンク５１から送油ポンプ５７を備えた管路６７を介して燃料油７０がセットリングタンク５２に供給されている。このセットリングタンク５２には清浄機５４が併設されており、この清浄機５４を介して燃料油がサービスタンク８０に供給されている。
【００１４】
前記清浄機５４は、毎分約１万回転の回転体を備えた遠心分離式清浄機が使用され、その遠心力により燃料油よりも比重の大きい炭素性固形物やＦＣＣ触媒や水分などの不純物を除去している。即ち、清浄機５４によりスラッジや水分などの不純物が除去された燃料油７０を主機関に供給するようにしているが、遠心力によるＦＣＣ分離性能には限界があり、燃料油中のＦＣＣを十分に除去できるとは言い難い。また、エンジンの手前（上流側）には燃料油２次濾過器（７９）が装備されるのが一般的だが、これもＦＣＣ除去を目的としたものではなく、ＦＣＣ油を燃料油とした場合のエンジンのトラブルが発生している。
【００１５】
そこで、清浄機で遠心分離した燃料油を、メッシュの細かい濾過装置により濾過し、その濾過された燃料油を主機関に供給することが提案されている（例えば、特許文献１など参照。）。
【特許文献１】特開平１１−２００９７３号公報
【発明の開示】
【発明が解決しようとする課題】
【００１６】
前記特許文献２の燃料供給装置などは、例えば図８に示すようにストレージタンク５１からセットリングタンク５２に燃料油７０を供給し、セットリングタンク５２から清浄機５４を介して濾過装置５５へ燃料油７０が供給されている。前記各タンクには、加熱器５３などの加熱手段が併設され、その加熱手段によりタンク内の燃料油を昇温させ、所定の粘度等の物性となる温度に保持されている。
【００１７】
前記濾過装置５５は、１０μｍ前後の粒径のＦＣＣ触媒を捕捉するため、焼結金網の網目が公称目開き１０μｍよりも小孔に形成されているので、ピストンやシリンダなどを異常摩耗させて故障させてしまう１０μｍ前後の粒径のＦＣＣ触媒が濾過装置を経由することで燃料油から除去され、シリンダなどの異常摩耗による主機関の異常停止といったトラブルが防止されている。
【００１８】
ところが、濾過装置５５は必然的に、濾過材である燒結金属の網目に触媒などの不純物が積層して目詰まりするので、燃料油の流量が低下したり、エンジンに供給される燃料油の圧力が低下したりする。このようなことから、濾過装置５５の入口側と出口側の圧力が所定の差圧に達したときに、或いは一定時間毎に、入口側バルブ６０と出口側バルブ６１を閉止して濾過装置５５に燃料油７０が供給されないようにし、濾過装置５５の燃料油出口側の高圧空気供給バルブ６３を開放して高圧空気を送り込み、濾過装置５５内に溜まっていた燃料油７０を下側のバルブ６４を開放して排出させ、不純物を燒結金属の網目の内側から外側へ押し出すと共に出口から排出する、逆洗作業が行われている。
【００１９】
このような逆洗作業が行われている間は、バルブ６２が開放されてバイパス管６９を介して燃料油７０がエンジンに供給されるようになっているので、エンジンが停止することはないが、濾過装置を経由していない燃料油がエンジンに供給されてしまう。また、通常、逆洗は一日に何度も行われるので、逆洗作業中にエンジンへ供給された燃料油には清浄機で除去しきれなかったＦＣＣ触媒が混入しており、そのＦＣＣ触媒によって前述のようなエンジントラブルが発生する可能性がある。
【００２０】
そこで、濾過装置で濾過された燃料油をサービスタンクに貯留し、このサービスタンクから燃料油をエンジンに供給することが提案されているが、濾過装置が故障したり、濾過装置を修理したりするときに、逆洗作業よりも長時間に亘って燃料油がサービスタンクに供給されなくなってしまうので、そのタンクを大型化して大容量としたり、濾過装置を迂回するバイパス管を設けたりしなければならなかった。
【００２１】
また、図９に示すように、濾過装置５５で濾過した燃料油７０ｂを貯留するサービスタンク８０ｂと、清浄機５４で遠心分離した燃料油７０ａを貯留するバッファタンク８０ａとを並設し、自動弁８０ｆを介在させた連通管８０ｇによりバッファタンク８０ａとサービスタンク８０ｂとを連通し、このサービスタンク８０ｂに設けた図示しない液面計の検出した液面信号により前記自動弁８０ｆを開閉させるように構成したものが提案されている。
【００２２】
このように構成したことにより、濾過装置５５のトラブルにより燃料油７０ａが供給されなくなったサービスタンク８０ａ内の燃料油液面が低下すると、液面計がその燃料油の液面低下を検出して自動弁８０ｆを開放し、バッファタンク８０ｂからサービスタンク８０ａへ燃料油７０ｂを流入させ、サービスタンク８０ａ内の燃料油７０ａが空になってしまい主機関（Ｅｎｇ．）が停止することを防止している。
【００２３】
しかしながら、比較的高価な自動弁８０ｆを取り付けたり、液面計を取り付けたりすると共に、自動制御装置を設置しなければならず、それらの設置費用がかかる上に、維持管理・メンテナンス費用とバルブ操作の手間もかかるという問題があった。
【００２４】
本発明は、前記従来技術の課題に鑑み、逆洗中、フィルタを通過する燃料の流れを一旦停止しなければならないタイプの濾過装置で濾過してエンジンに供給する燃料油供給方法とその装置において、センサや自動弁などを使用することなく通常運転において確実に濾過装置で濾過された燃料油を主機関や発電機関に供給し、且つ容易で安価に設置することのできる燃料油供給方法とその装置を提供することを目的とする。
【課題を解決するための手段】
【００２５】
本発明に係る舶用燃料油の供給方法は、次のように構成されている。
【００２６】
１）船舶の船体内に設けた燃料油を貯蔵するストレージタンク６と、燃料油中に含まれる水分やスラッジ等を沈降分離させるセットリングタンク７と、エンジンに供給される燃料油を保持するサービスタンク２とを備えた舶用燃料供給装置において、前記セットリングタンク７とサービスタンク２とにそれぞれ連通する緩衝タンク１を設け、この緩衝タンク１にセットリングタンク７の燃料油ｆ２を供給すると共にサービスタンク２の燃料油ｆ４を供給し、前記セットリングタンク７より緩衝タンクに供給された燃料油ｆ２と、前記サービスタンク２より緩衝タンク１に供給された燃料油ｆ４とが混合した中間層の燃料油ｆ２、ｆ４を、前記緩衝タンク１から抜き出してその燃料油ｆ２，ｆ４を濾過装置３で濾過し、この濾過装置３で濾過された燃料油ｆ４をサービスタンク２に供給することを特徴としている。
【００２７】
２）遠心分離式清浄機１２より緩衝タンク１に供給される燃料油ｆ３の流量を、緩衝タンク１から濾過装置３に供給される燃料油の流量よりも少なくすることで、連通管Ｌ６内を燃料がサービスタンク２から緩衝タンク１の方向に流れるようにし、緩衝タンク１内に、清浄機１２から供給された燃料油ｆ３とサービスタンク２から供給された燃料油ｆ４とが混合された混合領域１ａを形成し、この混合領域１ａに位置している燃料油ｆｍを濾過装置３で濾過することを特徴としている。
【００２８】
また、本発明に係る舶用燃料油の供給装置は、図１に示すように構成されている。
【００２９】
３）船舶の船体内に設けた燃料油ｆ１を貯蔵するストレージタンク６と、このストレージタンク６の燃料油ｆ１に含まれる水分やスラッジ等を沈降分離させるセットリングタンク７と、このセットリングタンク７により水分やスラッジ等が沈降分離された燃料油ｆ２をさらに遠心分離して清浄化させる遠心分離式清浄機１２とを備え、この遠心分離式清浄機１２により清浄化された燃料油ｆ３は、燃料油調整手段Ｍを介してエンジンに供給されており、前記燃料油調整手段Ｍは、遠心分離式清浄機１２により清浄化された燃料油ｆ３を受け入れる緩衝タンク１と、この緩衝タンク１に供給された燃料油ｆ３及びサービスタンク２内の燃料油ｆ４を濾過する濾過装置３と、この濾過装置３で濾過された燃料油ｆ４を保持するサービスタンク２とを有し、前記緩衝タンク１は前記サービスタンク２と連通していることを特徴としている。
【発明の効果】
【００３０】
１）緩衝タンクをセットリングタンクとサービスタンクとに連通させ、緩衝タンクに供給されるセットリングタンクからの燃料油とサービスタンクからの燃料油とが混合した混合領域の混合油を抜き出して濾過装置で濾過するようにしたので、濾過装置が停止する逆洗時には、緩衝タンク内の燃料油がサービスタンク内へ供給される。また、緩衝タンクには清浄機を介してセットリングタンクより燃料油が供給されている。従って、濾過装置が停止していてもサービスタンク内には燃料油が緩衝タンクを介して供給されるので燃料油の液面低下が防止されると共に、エンジンへの燃料油の供給が途切れることがない。
【００３１】
２）また、清浄機を通過した燃料油が緩衝タンクに供給される流量を、緩衝タンクから濾過装置に供給される燃料油の流量よりも少なくしたので、緩衝タンクの下方には、通常サービスタンク内の、一旦濾過装置により濾過された燃料油が入り込んでおり、逆洗作業時のように濾過装置が数分間停止しても、清浄機を通過した後濾過装置を通過していない燃料油がサービスタンク内へ流入することが防止される。結果、サービスタンク内には濾過装置で濾過された燃料油のみが貯留されることとなり、清浄機で遠心分離しきれないＦＣＣ触媒等の不純物がエンジンに供給されてトラブルを引き起こすことが防止される。
【００３２】
３）緩衝タンクとサービスタンクの連通部の流れ方向が自然に調整されるので、図９のように自動弁などを設置する必要がなく、構造が単純で比較的安価に製作することができる。
【発明を実施するための最良の形態】
【００３３】
以下、本発明に係る燃料供給装置について、図示して説明する。
【００３４】
［実施例１］
図１は、本発明に係る舶用燃料供給方法を適用した燃料油供給装置Ａの概略構成図であり、図２は燃料油調整装置Ｍの概略構成図である。この燃料油供給装置Ａは、船舶に積載した燃料油ｆ１をストレージタンク６から送油ポンプｐ１を介してセットリングタンク７に供給している。このセットリングタンク７は、供給された燃料油ｆ１に含まれている大きな異物（沈降スラッジなど）を沈殿させるようになっている。セットリングタンク７により大きな異物を沈殿させた燃料油ｆ２は、図示しない送油ポンプを介して加熱器１０に移送して所定の温度（例えば、４０〜５０℃）に昇温し、次いで遠心分離式清浄機１２に導入されている。
【００３５】
清浄機１２に導入した燃料油ｆ２は、その清浄機１２の高速回転体（約１０，０００ｒｐｍ）によりカーボン分や水分、ＦＣＣ触媒等の不純物が遠心力により前記回転体の内壁に付着して分離される。
【００３６】
前記清浄機１２により不純物が遠心分離された燃料油ｆ３を、緩衝タンク１の上部へ導入し、また、濾過装置３で濾過された燃料油ｆ４を、サービスタンク２から前記緩衝タンク１の下部へ導入している。
【００３７】
図２に示すように、緩衝タンク１に供給されたそれぞれの燃料油は、その上方に清浄機１２を経由して遠心分離された燃料油ｆ３が層を形成し、下方に濾過装置３で濾過された燃料油ｆ４が層を形成している。また、緩衝タンク１から濾過装置３へ燃料油を導入する配管Ｌ４を設けた近傍に燃料油ｆ３と燃料油ｆ４とが混合した混合油ｆｍの層１ａが形成されている。前記混合油層１ａの中間部分を抜き出して濾過装置３に供給するようになっている。
【００３８】
そして、前記混合油層１ａが拡散して緩衝タンク１の下方へ広がらないように、上方に位置する燃料油ｆ３と下方に位置する燃料油ｆ４との流量が調整されている。例えば、その流量は、濾過装置３へ抜き出される混合油ｆｍを１００とすると、清浄機１２で遠心分離した燃料油ｆ３は９０〜９５、サービスタンク２からの燃料油ｆ４は１０〜５となるように調整されている。なお、エンジン（Ｅｎｇ．）に供給される燃料油ｆ４は５〜２０となっており、濾過装置３を経由してサービスタンクに供給される燃料油ｆ４の余剰分はオーバーフロー管路Ｌ８を介してセットリングタンク７に戻されている。
【００３９】
（逆洗作業）
次に、本発明に係る燃料供給装置における逆洗作業について図示して説明する。図３（Ａ）は逆洗開始時、図３（Ｂ）は逆洗終了時を示す図である。
【００４０】
本実施例では、濾過装置３の入口側に設けた圧力計ｄ１と、出口側に設けた圧力計ｄ２との差圧が０．０３ＭＰａ〜０．０５ＭＰａに達したとき、或いは２〜５時間毎に逆洗を行うようにしている。
【００４１】
逆洗作業を開始する際に、濾過装置３の入口側バルブｖ１と出口側バルブｖ２とを閉止し、濾過装置３に燃料油ｆ３が供給されないようにする。次いで、高圧空気（ａｉｒ）の供給管Ｌ１０のバルブｖ３とドレン管Ｌ１１のバルブｖ４とを開放する。
【００４２】
前記濾過装置３は、円筒状濾過材の外側から内側へ燃料油ｆ３を通過させてＦＣＣ触媒などを濾過し、内側へ通過して濾過された燃料油ｆ４を濾過材の内側に連通している出口管Ｌ５から排出している。
【００４３】
従って、円筒状濾過材の内側に連通している高圧空気供給管Ｌ１０から供給された高圧空気がその濾過材の内側に残留している濾過された燃料油ｆ４を押圧し、円筒状濾過材の内側から外側に向かって燃料油ｆ４を押し出すこととなる。この押し出される燃料油ｆ４が、濾過材の外側に堆積したＦＣＣ触媒等の不純物をその濾過材の表面から浮き上がらせて押し流す。押し流された不純物は、燃料油と共にドレン管Ｌ１１を介して排出される。
【００４４】
この逆洗作業は数分程度かかり、その間は濾過された燃料油ｆ４が濾過装置を介してサービスタンク２に供給されないが、緩衝タンク１は連通管Ｌ６によってサービスタンク２と連通しているので緩衝タンク１の下方に形成された燃料油ｆ４層から供給される。よって、逆洗作業の終了時には、図３（Ｂ）に示すように遠心分離された燃料油ｆ３層が緩衝タンク１の下部側に向かって降下した状態となる。
【００４５】
そして、逆洗作業が終了すると、空気供給バルブｖ３とドレインバルブｖ４とを閉止し、次いで燃料油ｆの供給バルブｖ１と排出バルブｖ２とを開放して混合燃料油ｆｍを濾過装置３に供給する。
【００４６】
緩衝タンク１には、再びタンクの下方から濾過された燃料油ｆ４が供給されるので、混合油ｆｍの層１ａが上昇する。
【００４７】
（濾過装置停止）
次に、濾過装置が故障や修理に伴い、逆洗のときよりも長時間に亘って停止した場合について図４を参照して説明する。
【００４８】
濾過装置３が停止状態となってから５〜１０分程度経過すると、逆洗時と同様に図４Ａに示すような状態となる。即ち、緩衝タンク１の下方には濾過された燃料油ｆ４層が形成されているので、遠心分離された濾過装置で濾過されていない燃料油ｆ３がサービスタンク２内へ流入することが防止されている。
【００４９】
濾過装置の停止時間がさらに延長されると、図４Ｂに示すように、遠心分離された燃料油ｆ３がサービスタンク２内へ流入し、そのサービスタンク２の底部に遠心分離された燃料油ｆ３層と混合油層とが形成される。エンジンには、遠心分離された燃料油ｆ３が供給され、燃料切れとなることはない。
【００５０】
サービスタンクに連通した緩衝タンクから燃料油を抜き出して濾過するようにしたので、濾過装置の逆洗中に遠心分離した燃料油がサービスタンク内へ流入することが防止される。よって、通常の運転中にサービスタンク内の濾過された燃料油に、遠心分離された燃料油が混入してしまうことがなく、エンジンには濾過した燃料油のみを供給することができる。
【００５１】
また、長時間に亘って濾過装置が停止し、濾過した燃料油をサービスタンクへ供給できなくなっても、緩衝タンクから自然に遠心分離した燃料油がサービスタンク内へ流入するようになっているので、サービスタンク内の燃料油の液面が低下することなくエンジンに燃料油を供給し続けることができる（図４Ｃ）。
【００５２】
（実施例２）
本実施例は、図５に示すようにサービスタンク２０内に緩衝タンク２１を形成したことを特徴とするものである。
【００５３】
通常の運転時は、前述の第１実施例の燃料供給装置と同様に混合油ｆｍが濾過装置３に供給されるようになっている。
【００５４】
逆洗をするときには、図６に示すように濾過装置３の入口側バルブｖ１と出口側バルブｖ２とを閉止し、高圧空気供給バルブｖ３とドレイン排出バルブｖ４とを開放する。高圧空気（ａｉｒ）が濾過装置に残留している燃料油を下方に押し下げると共に、その燃料油が濾過材の内側から外側に向かって押し出され、これに伴って濾過材の表面に堆積しているＦＣＣ触媒等の不純物が押し出される。そして、ドレイン管を介してＦＣＣ触媒等の不純物を含んだ燃料油が排出される。
【００５５】
本実施例により、サービスタンク内に緩衝タンクを設けており、新たにタンクを船内に設置することがないのでスペースの削減となる。
【図面の簡単な説明】
【００５６】
【図１】本発明に係る舶用燃料供給装置の概略図である。
【図２】本発明に係る舶用燃料供給装置における燃料油調整装置の概略図である。
【図３】（Ａ）は逆洗作業開始時の燃料油調整装置を示す図、（Ｂ）は逆洗作業終了時の燃料油調整装置を示す図である。
【図４Ａ】燃料油調整装置における濾過装置の停止状態における最初期を示す図である。
【図４Ｂ】濾過装置が通常の逆洗時間を超えて停止したときの状態を示す図である。
【図４Ｃ】図４Ｂの状態が進行したときを示す図である。
【図５】本発明に係る舶用燃料供給装置における燃料調整装置の第２実施態様を示す図である。
【図６】図５における逆洗作業中の燃料油調整装置を示す図である。
【図７】従来の舶用燃料供給装置の概略図である。
【図８】従来の他の舶用燃料供給装置の概略図である。
【図９】従来の更に他の舶用燃料供給装置の概略図である。
【符号の説明】
【００５７】
１  緩衝タンク
１ａ  混合領域
２  サービスタンク
３  濾過装置
６  ストレージタンク
７  セットリングタンク
１２  清浄機
ｆ１，ｆ２，ｆ３，ｆ４  燃料油
ｆｍ  混合油
Ｍ  燃料油調整装置
【図１】
2009241903.tif 000003
【図２】
2009241903.tif 000004
【図３】
2009241903.tif 000005
【図４Ａ】
2009241903.tif 000006
【図４Ｂ】
2009241903.tif 000007
【図４Ｃ】
2009241903.tif 000008
【図５】
2009241903.tif 000009
【図６】
2009241903.tif 000010
【図７】
2009241903.tif 000011
【図８】
2009241903.tif 000012
【図９】
2009241903.tif 000013